【手続補正書】
【提出日】平成29年8月9日(2017.8.9)
【手続補正１】
【補正対象書類名】特許請求の範囲
【補正対象項目名】全文
【補正方法】変更
【補正の内容】
【特許請求の範囲】
【請求項１】
室内側吸込口と室内側吐出口と、室外側吸込口と室外側吐出口を設けた本体と、
室外の空気を前記室外側吸込口から前記室内側吐出口へ連通させる給気風路と、
室内の空気を前記室内側吸込口から前記室外側吐出口へ連通させる排気風路と、
前記給気風路と前記排気風路それぞれに配置した給気用ファンと排気用ファンと、
前記給気用ファンを駆動する給気用モータと、
前記排気用ファンを駆動する排気用モータと、
前記室外側吸込口に室外温度を検知する室外温度センサーと、
前記室内側吸込口に室内温度と室内湿度を検知する室内温湿度センサーと、
前記給気用モータ、前記排気用モータを制御する制御部と、を備え、
前記制御部は、
前記室内温度と前記室内湿度より室内露点温度を算出する室内露点温度算出手段と、
前記室内露点温度と前記室外温度を比較して前記室内露点温度が前記室外温度より低い場合に結露すると判断する結露判断手段と、を備え、
前記室外温度が所定の範囲内のとき、かつ、前記結露判断手段が結露発生を判断したときには給気風量と排気風量が均等になるよう前記給気用モータ、前記排気用モータを制御する給排型換気装置。
【請求項２】
室内側吸込口と室内側吐出口と、室外側吸込口と室外側吐出口を設けた本体と、
室外の空気を前記室外側吸込口から前記室内側吐出口へ連通させる給気風路と、
室内の空気を前記室内側吸込口から前記室外側吐出口へ連通させる排気風路と、
前記給気風路と前記排気風路それぞれに配置した給気用ファンと排気用ファンと、
前記給気用ファンを駆動する給気用モータと、
前記排気用ファンを駆動する排気用モータと、
前記室外側吸込口に室外温度を検知する室外温度センサーと、
前記室内側吸込口に室内温度と室内湿度を検知する室内温湿度センサーと、
前記給気用モータ、前記排気用モータを制御する制御部と、を備え、
前記制御部は、
前記室内温度と前記室内湿度より室内露点温度を算出する室内露点温度算出手段と、
前記室内露点温度と前記室外温度を比較して前記室内露点温度が前記室外温度より低い場合に結露すると判断する結露判断手段と、を備え、
前記制御部は、
前記室外温度が所定の範囲内のとき、かつ、前記結露判断手段が結露が発生しないと判断したときには排気風量を低下させるよう前記排気用モータを制御する給排型換気装置。
【請求項３】
前記給気風路と前記排気風路の交差部に配置して室外空気と室内空気の熱を交換させる熱交換素子を備えた請求項１または２記載の給排型換気装置。
【手続補正２】
【補正対象書類名】明細書
【補正対象項目名】０００６
【補正方法】変更
【補正の内容】
【０００６】
そして、この目的を達成するために、本発明に係る給排型換気装置は、室内側吸込口と室内側吐出口と、室外側吸込口と室外側吐出口を設けた本体と、この本体内に、室外の空気を前記室外側吸込口から前記室内側吐出口へ連通させる給気風路と、室内の空気を前記室内側吸込口から前記室外側吐出口へ連通させる排気風路と、前記給気風路と前記排気風路それぞれに配置した給気用ファンと排気用ファンと、前記給気用ファンを駆動する給気用モータと、前記排気用ファンを駆動する排気用モータと、前記室外側吸込口に室外温度を検知する室外温度センサーと、前記室内側吸込口に室内温度と室内湿度を検知する室内温湿度センサーと、前記給気用モータ、前記排気用モータを制御する制御部と、を備え、前記制御部は、前記室内温度と前記室内湿度より室内露点温度を算出する室内露点温度算出手段と、前記室内露点温度と前記室外温度を比較して前記室内露点温度が前記室外温度より低い場合に結露すると判断する結露判断手段と、を備え、前記室外温度が所定の範囲内のとき、かつ、前記結露判断手段が結露発生を判断したときには給気風量と排気風量が均等になるよう前記給気用モータ、前記排気用モータを制御するものであり、これにより所期の目的を達成するものである。
【手続補正３】
【補正対象書類名】明細書
【補正対象項目名】０００７
【補正方法】変更
【補正の内容】
【０００７】
また、室内側吸込口と室内側吐出口と、室外側吸込口と室外側吐出口を設けた本体と、この本体内に、室外の空気を前記室外側吸込口から前記室内側吐出口へ連通させる給気風路と、室内の空気を前記室内側吸込口から前記室外側吐出口へ連通させる排気風路と、前記給気風路と前記排気風路それぞれに配置した給気用ファンと排気用ファンと、前記給気用ファンを駆動する給気用モータと、前記排気用ファンを駆動する排気用モータと、前記室外側吸込口に室外温度を検知する室外温度センサーと、前記室内側吸込口に室内温度と室内湿度を検知する室内温湿度センサーと、前記給気用モータ、前記排気用モータを制御する制御部と、を備え、前記制御部は、前記室内温度と前記室内湿度より室内露点温度を算出する室内露点温度算出手段と、前記室内露点温度と前記室外温度を比較して前記室内露点温度が前記室外温度より低い場合に結露すると判断する結露判断手段と、を備え、前記制御部は、前記室外温度が所定の範囲内のとき、かつ、前記結露判断手段が結露が発生しないと判断したときには排気風量を低下させるよう前記排気用モータを制御する給排型換気装置であり、これにより所期の目的を達成するものである。
【手続補正４】
【補正対象書類名】明細書
【補正対象項目名】００１０
【補正方法】変更
【補正の内容】
【００１０】
本発明に係る給排型換気装置は、室内側吸込口と室内側吐出口と、室外側吸込口と室外側吐出口を設けた本体と、この本体内に、室外の空気を前記室外側吸込口から前記室内側吐出口へ連通させる給気風路と、室内の空気を前記室内側吸込口から前記室外側吐出口へ連通させる排気風路と、前記給気風路と前記排気風路それぞれに配置した給気用ファンと排気用ファンと、前記給気用ファンを駆動する給気用モータと、前記排気用ファンを駆動する排気用モータを備えた給排型換気装置であって、前記室外側吸込口に室外温度を検知する室外温度センサーと、前記室内側吸込口に室内温度と室内湿度を検知する室内温湿度センサーと、前記給気用モータ、前記排気用モータを制御する制御部を設け、この制御部には、前記室内温度と前記室内湿度より室内露点温度を算出する室内露点温度算出手段と、前記室内露点温度と前記室外温度を比較して前記室内露点温度が前記室外温度より低い場合に結露すると判断する結露判断手段を備え、前記制御部は、前記室外温度が所定の範囲内のとき、かつ、前記結露判断手段が結露発生を判断したときには給気風量と排気風量が均等になるよう前記給気用モータ、前記排気用モータを制御するものである。
【手続補正５】
【補正対象書類名】明細書
【補正対象項目名】００１１
【補正方法】変更
【補正の内容】
【００１１】
これにより、中間期に結露することなく省エネを図れるという効果を奏する。
【手続補正６】
【補正対象書類名】明細書
【補正対象項目名】００１２
【補正方法】変更
【補正の内容】
【００１２】
また、室内側吸込口と室内側吐出口と、室外側吸込口と室外側吐出口を設けた本体と、室外の空気を前記室外側吸込口から前記室内側吐出口へ連通させる給気風路と、室内の空気を前記室内側吸込口から前記室外側吐出口へ連通させる排気風路と、前記給気風路と前記排気風路それぞれに配置した給気用ファンと排気用ファンと、前記給気用ファンを駆動する給気用モータと、前記排気用ファンを駆動する排気用モータと、前記室外側吸込口に室外温度を検知する室外温度センサーと、前記室内側吸込口に室内温度と室内湿度を検知する室内温湿度センサーと、前記給気用モータ、前記排気用モータを制御する制御部と、を備え、前記制御部は、前記室内温度と前記室内湿度より室内露点温度を算出する室内露点温度算出手段と、前記室内露点温度と前記室外温度を比較して前記室内露点温度が前記室外温度より低い場合に結露すると判断する結露判断手段と、を備え、前記制御部は、前記室外温度が所定の範囲内のとき、かつ、前記結露判断手段が結露が発生しないと判断したときには排気風量を低下させるよう前記排気用モータを制御する給排型換気装置である。
【手続補正７】
【補正対象書類名】明細書
【補正対象項目名】００１３
【補正方法】削除
【補正の内容】